(57)【特許請求の範囲】
【請求項１】
角シャフトの周囲に複数の棒状マグネット片が固定配置されるマグネットロールであって、前記角シャフト周囲に、ビッカース硬度が２０以上１００以下の半硬質な樹脂マグネットよりなるマグネット片を配置するとともに、該マグネット片に沿って、ビッカース硬度が２０より小さい軟質な樹脂マグネットよりなるマグネット片を隣接配置してなることを特徴とする、画像形成装置用の現像装置やクリーニング装置のマグネットロール。
【請求項２】
前記半硬質な樹脂マグネットよりなるマグネット片を、角シャフト周囲の重要極に少なくとも１つ配置してなる請求項１記載のマグネットロール。
【請求項３】
前記半硬質な樹脂マグネットのビッカース硬度を３０〜６０としてなる請求項１又は２記載のマグネットロール。
【発明の詳細な説明】
【０００１】
【産業上の利用分野】
本発明は、複写機やファクシミリ、更にはレーザープリンター等に組み込まれるマグネットロールに関するものである。
【０００２】
【従来の技術】
電子写真方式の複写機、ファクシミリやレーザープリンターに組み込まれる現像装置やクリーニング装置には、円筒状スリーブ内にマグネットロールを相対回転可能に組み込んだ磁気シリンダーが用いられている。
マグネットロールはシャフトの周囲にマグネットを配置して構成され、例えば図３に示すように角シャフトａの角面に棒状マグネット片ｂ１，ｂ２，ｂ３，ｂ４を接着剤等で貼り付けて固定した張り合わせタイプが知られている。相対回転可能に組み込まれた円筒状スリーブとマグネットロールのうち、いずれを回転側とするかは現像方式によって異なるが、例えばマグネットロールに形成する磁極が、現像極、規制極、搬送極、回収極等のように、それぞれの固有の機能を有するものである場合は、マグネットロールを固定側とし、円筒状スリーブをこのマグネットロールに対して回転させる構造が採用される。
【０００３】
【発明が解決しようとする課題】
このような構造の磁気シリンダーでは、各磁極に設計どおりの働きをさせるためには、各磁極の配置位置を正確に設置する必要があり、各磁極はシャフトの軸回りの方向において設計どおりの角度位置に正確に位置づける必要があり、且つこの角度は軸長手方向においてばらつかないことが必要である。
【０００４】
しかし、従来のマグネットロールでは、棒状マグネット片ｂ１，ｂ２，ｂ３，ｂ４にビッカース硬度が２０より小さな軟質樹脂マグネットを用いているので、角シャフトａの角面に接着剤等で張り合わせて組み立てると、軸長手方向の直線性が悪く、図３に示すように、角シャフトａに張り合わせた棒状マグネット片ｂが蛇行する現象がみられた。従って、棒状マグネット片ｂの蛇行によって、磁極位置が軸長手方向で３°以上異なり、その結果軸長手方向での現像剤搬送量がバラツキ、画像不良の原因になるといった問題点があった。
【０００５】
そこで、本発明の目的は、上述したような従来技術の問題点を解消し、軸長手方向での磁極位置のバラツキを解消し、良好な画像が得られるマグネットロールを提供しようとするものである。
【０００６】
【課題を解決するための手段】
上記目的を達成するための本発明のマグネットロールは、角シャフトの周囲に複数の棒状マグネット片が固定配置されるマグネットロールであって、前記角シャフト周囲に、ビッカース硬度が２０以上１００以下の半硬質な樹脂マグネットよりなるマグネット片を配置するとともに、該マグネット片に沿って、ビッカース硬度が２０より小さい軟質な樹脂マグネットよりなるマグネット片を隣接配置してなることを特徴とするものである。
【０００７】
また、前記半硬質な樹脂マグネットよりなるマグネット片を、角シャフト周囲の重要極に少なくとも１つ配置したものが好ましく、また、前記半硬質な樹脂マグネットのビッカース硬度を３０〜６０としたものが好ましい。
【０００８】
【発明の実施の形態】
以下、添付図面を参照しながら、本発明のマグネットロールを具体化した実施の形態について説明する。
図１及び図２は、本発明に係る代表的実施例のマグネットロールに関するものである。
【０００９】
マグネットロールＡは、図１及び図２に示すように、四角柱状の角シャフト１の周囲に、円柱形状を軸長手方向に４分割した棒状マグネット片２，３，４，５を、接着剤等で固定配置し、マグネット全体はＳ極とＮ極が交互に形成されたものである。そして、図２中、下側のマグネット片３と、左側のマグネット片４に、ビッカース硬度が２０以下の軟質な樹脂マグネット（以下、軟質樹脂マグネットと称す）を用い、右側のマグネット片２と、上側のマグネット片５に、ビッカース硬度が２０以上１００以下の半硬質な樹脂マグネット（以下、半硬質樹脂マグネットと称す）を用いている。尚、本明細書中では、ビッカース硬度が１００以上の硬質な樹脂マグネットを硬質樹脂マグネットと称し、区別するものとする。尚、ビッカース硬度の単位は、kgf/mm2 であるが、明細書中では、特に単位は省略する。
【００１０】
半硬質樹脂マグネット片２，５のビッカース硬度を２０〜１００に設定しているのは、ビッカース硬度が２０以下になると、通常の軟質樹脂マグネットとなり、ビッカース硬度が１００より大きくなると、マグネット片の外径をそろえるための外周切削や、軸長手方向の長さを決めるための切断等の後加工性が悪くなり、またマグネット片自身が反ったり、曲がったするため、角シャフト１に対する接着性が悪くなるためである。この後加工性や接着性、マグネットの蛇行等を十分に考慮すると、半硬質樹脂マグネットは、特にビッカース硬度が３０〜６０のものを用いる方が好ましいのである。
また、半硬質樹脂マグネットにするためには、軟質樹脂マグネットの樹脂分を減らしたり、樹脂の種類や添加物を適宜変更することにより、容易に行うことができる。例えば、樹脂は、塩化ビニール、ポリアミド、ウレタン、エポキシ、フェノール、ポリエステル等が挙げられ、添加剤は脂肪酸金属塩、高級脂肪酸、脂肪酸エステル、ワックス類等がある。
【００１１】
尚、上述したマグネットロールＡは、２つのマグネット片２，５を、半硬質樹脂マグネットにて構成しているが、半硬質樹脂マグネット片は、現像極等の重要極に少なくとも１つ適用すればよく、この半硬質樹脂マグネット片２，５に隣接する軟質樹脂マグネット片３，４は、半硬質樹脂マグネット片２，５に沿って接着されるため、蛇行が防止されるのである。また、全てのマグネット片２，３，４，５を、半硬質樹脂マグネットにて構成することも可能である。
【００１２】
このように本実施例のマグネットロールＡによれば、２つのマグネット片２，５を半硬質樹脂マグネットにて構成しているので、マグネットを組み立てた時に、半硬質樹脂マグネット片２，５自身は蛇行せず、更にこのマグネット片２，５に沿って接着される軟質樹脂マグネット片３，４が蛇行するのを防止することができるため、軸長手方向での磁極位置のバラツキが２°以下となり、良好な画像が得られるのである。本実施例のシャフト１は、角シャフトを用いているが、シャフトの断面形状は、丸又は多角形でもよく、断面形状に制限はない。
【００１３】
【発明の効果】
以上の記載より明らかなように、次に記載する作用及び効果を奏する。
請求項１のマグネットロールによれば、角シャフト周囲に、ビッカース硬度が２０以上１００以下の半硬質樹脂マグネット片を配置するとともに、該マグネット片に沿って、ビッカース硬度が２０より小さい軟質樹脂マグネット片を隣接配置して構成されているので、マグネットを組み立てた時に、この半硬質樹脂マグネット片自身は蛇行せず、更にこのマグネット片に沿って接着される軟質樹脂マグネット片が蛇行するのを防止することができるため、軸長手方向での磁極位置のバラツキが２°以下となり、良好な画像が得られるのである。
【００１４】
また、本発明の半硬質樹脂マグネット片は、請求項２記載のように角シャフト周囲の重要極に少なくとも１つ配置すればよく、また、請求項３記載のようにビッカース硬度を３０〜６０とすれば、良好な後加工性や接着性を維持しつつマグネットの蛇行を防止できる。
【図面の簡単な説明】
【図１】  本発明に係る代表的実施例のマグネットロールを示す斜視図
【図２】  同じくマグネットロールの拡大側面図
【図３】  従来のマグネットロールを示す斜視図
【符号の説明】
Ａ  マグネットロール
１  角シャフト                            ２  半硬質樹脂マグネット片
３  軟質樹脂マグネット片                  ４  軟質樹脂マグネット片
５  半硬質樹脂マグネット片
【図１】
0003850506.tif 000002
【図２】
0003850506.tif 000003
【図３】
0003850506.tif 000004